(57)【要約】【課題】  構造が簡単で、かつ、デッキプレートの補強部に容易に取り付けることができる、配設体支持具を提供する。【解決手段】  配設体支持具４は、デッキプレート２の補強部２ａに取り付けられる取付部５と、配設体３を支持する支持部６とを備える。取付部５は、上方に開口する枠状に形成されて、その開口５ａを形成する両側が、補強部２ａを挟むようにして保持する保持部５ｂ、５ｂとなる。そして、取付部５は、保持部５ｂ、５ｂをその対向方向の互いに離間する向きに変位させるような、曲げ方向の剛性が大で、保持部５ｂ、５ｂをその対向方向に直交する前後方向の互いに逆となる向きに変位させるような、ねじり方向の剛性が小となるよう形成されて、そのねじり方向に弾性変形可能である。そこで、取付部５を前記ねじり方向に弾性変形させることで、保持部５ｂ、５ｂの互いの間隔を広げて、取付部５を補強部２ａの下方から取付可能となる。【選択図】  図９
2011032685.tif 000002
【特許請求の範囲】
【請求項１】
デッキプレートの下方に突出形成された下方が幅広で上方が幅狭となる補強部に取り付けられて、配設体を支持する、配設体支持具であって、
前記補強部に取り付けられる取付部と、前記配設体を支持する支持部とを備え、
前記取付部は、上方に開口する枠状に形成されて、その開口を形成する両側が、前記補強部を保持する保持部となり、かつ、
前記取付部は、前記保持部をその対向方向の互いに離間する向きに変位させるような、曲げ方向の剛性が大で、前記保持部をその対向方向に直交する前後方向の互いに逆となる向きに変位させるような、ねじり方向の剛性が小となるよう形成されて、そのねじり方向に弾性変形可能であって、
前記取付部を前記ねじり方向に弾性変形させることで、前記保持部の互いの間隔を広げて、前記取付部を前記補強部の下方から取付可能となることを特徴とする配設体支持具。
【請求項２】
前記取付部は、前記保持部とその保持部から下方に延設された延設部とを有する保持片と、それら保持片を下部で繋ぐ下部片とを備えて、一体に形成されていることを特徴とする、請求項１に記載の配設体支持具。
【請求項３】
前記延設部の上部もしくは中間部に渡されてそれら延設部どうしを連結する連結片を備え、その連結片の少なくとも一端側は、前記延設部に着脱可能に取り付けられることを特徴とする、請求項２に記載の配設体支持具。
【請求項４】
前記連結片は、前記補強部の下面に当接する当接部を有することを特徴とする、請求項３に記載の配設体支持具。
【請求項５】
前記当接部は、弾性を有することを特徴とする、請求項４に記載の配設体支持具。
【請求項６】
前記連結片は、前記延設部どうしを連結する連結片本体と、その連結片本体の上方において弓なり形状となってその連結片本体の両端部分に架け渡される、前記当接部としての線条片とからなることを特徴とする、請求項５に記載の配設体支持具。
【請求項７】
前記支持部は、前記下部片と前記延設部とで形成されることを特徴とする、請求項２ないし６のいずれか１項に記載の配設体支持具。
【請求項８】
前記取付部は、前記保持片が、上側ほど互いに近づく傾斜方向に直線状に延びて形成され、前記下部片が、水平方向に直線状に延びて形成されて、全体が、三角形の上部を切除した形状をしていることを特徴とする、請求項７に記載の配設体支持具。
【発明の詳細な説明】
【技術分野】
【０００１】
この発明は、コンクリート床に用いられるデッキプレートの下方に突出形成された補強部に取り付けられる、配設体支持具に関するものである。
【背景技術】
【０００２】
従来より、デッキプレートに形成された下方が幅広で上方が幅狭となる補強部に取り付けられる、配設体支持具としての吊り具があった（例えば、特許文献１参照）。図１３に示すように、この吊り具１１は、本体１２と、本体曲げ操作板１３とから構成された。ここで、本体１２は、底板部１２ａと、その中央部分各側辺から起立する中央補強板部１２ｂと、その各端側から中央補強板部１２ｂを挟むように起立する側壁板部１２ｃとからなっていた。そして、本体１２の中央には、吊りボルト１４が螺合するねじ孔１２ｄが設けられ、各側壁板部１２ｃの内側に、デッキプレート１５の補強部１５ａを挟み付ける凹部１２ｅが設けられた。さらに、各側壁板部１２ｃの下部内側に、係合凹部１２ｆが設けられ、中央補強板部１２ｂの各側に、係合凹部１２ｆに係合する係合突部１２ｇが設けられた。一方、本体曲げ操作板１３は、本体１２の底板部１２ａの各端に係合するフック部１３ａを備えていた。
【先行技術文献】
【特許文献】
【０００３】
【特許文献１】特開平９−３２１８９号公報
【発明の概要】
【発明が解決しようとする課題】
【０００４】
ところで、前記従来の吊り具１１にあっては、本体１２と本体曲げ操作板１３とから構成されて、その構造が複雑であって、コストが掛かった。また、デッキプレート１５の補強部１５ａへの取り付けにあたって、本体１２と本体曲げ操作板１３とを組み合わせなければならず、その取り付けに時間を要していた。
【０００５】
この発明は、上記した従来の欠点を解決するためになされたものであり、その目的とするところは、構造が簡単で、かつ、容易に取り付けることができる、配設体支持具を提供することにある。
【課題を解決するための手段】
【０００６】
この発明に係る配設体支持具は、前記目的を達成するために、次の構成からなる。すなわち、
請求項１に記載の発明に係る配設体支持具は、デッキプレートの下方に突出形成された下方が幅広で上方が幅狭となる補強部に取り付けられて、配設体を支持する、配設体支持具である。この配設体支持具は、前記補強部に取り付けられる取付部と、前記配設体を支持する支持部とを備える。ここで、前記取付部は、上方に開口する枠状に形成されて、その開口を形成する両側が、前記補強部を保持する保持部となる。そして、前記取付部は、前記保持部をその対向方向の互いに離間する向きに変位させるような、曲げ方向の剛性が大で、前記保持部をその対向方向に直交する前後方向の互いに逆となる向きに変位させるような、ねじり方向の剛性が小となるよう形成されて、そのねじり方向に弾性変形可能である。そこで、前記取付部を前記ねじり方向に弾性変形させることで、前記保持部の互いの間隔を広げて、前記取付部を前記補強部の下方から取付可能となる。
【０００７】
この配設体支持具によると、その取付部が、デッキプレートの下方に突出する補強部に取り付けられ、支持部が、配設体を支持することで、配設体は、この配設体支持具を介して、デッキプレートの補強部に支持される。ここで、補強部への取り付けにあたっては、取付部を、その保持部をその対向方向に直交する前後方向の互いに逆となる向きに変位させるような、ねじり方向に弾性変形させることで、保持部の互いの間隔を広げる。そして、この広がった保持部の先端部分の渡り方向がデッキプレートの補強部の幅方向を向くように取付部を鉛直軸回りに回動し、その回動した向きのまま、広がった保持部の間にデッキプレートの補強部が進入するように、取付部を補強部の下方から持ち上げる。その後、取付部のねじりをその弾性により戻すとともに、前記鉛直軸回りの回動を戻すことで、両保持部でデッキプレートの補強部を保持する。こうして、取付部がデッキプレートの補強部に取り付けられるが、取付部は、保持部をその対向方向の互いに離間する向きに変位させるような、曲げ方向の剛性が大となっているため、保持部は、その対向方向に安易には変位することがなく、取付部は、デッキプレートの補強部にしっかりと取り付けられる。
【０００８】
また、請求項２に記載の発明に係る配設体支持具は、請求項１に記載の配設体支持具において、前記取付部は、前記保持部とその保持部から下方に延設された延設部とを有する保持片と、それら保持片を下部で繋ぐ下部片とを備えて、一体に形成される。
【０００９】
また、請求項３に記載の発明に係る配設体支持具は、請求項２に記載の配設体支持具において、前記延設部の上部もしくは中間部に渡されてそれら延設部どうしを連結する連結片を備え、その連結片の少なくとも一端側は、前記延設部に着脱可能に取り付けられる。これにより、取付部をデッキプレートの補強部に取り付ける際には、連結片の少なくとも一端側を延設部から外しておき、取付部を補強部に取り付けた後に、連結片を延設部に取り付けるようにして、延設部どうしを連結する。こうして、連結片で延設部どうしを連結することで、保持部がその対向方向において互いに離間するのを抑制することができるとともに、保持部がその対向方向に直交する前後方向において互いに逆向きにずれるのを抑制することができる。これにより、保持部の互いの間隔が広がるのが抑えられ、取付部を、デッキプレートの補強部に確実に取り付けることができる。
【００１０】
また、請求項４に記載の発明に係る配設体支持具は、請求項３に記載の配設体支持具において、前記連結片は、前記補強部の下面に当接する当接部を有する。こうして、連結片がデッキプレートにおける補強部の下面に当接することで、補強部に対する取付部の動きが抑えられ、この取付部を補強部に安定して取り付けることができる。
【００１１】
また、請求項５に記載の発明に係る配設体支持具は、請求項４に記載の配設体支持具におい、前記当接部は、弾性を有する。
【００１２】
また、請求項６に記載の発明に係る配設体支持具は、請求項５に記載の配設体支持具において、前記連結片は、前記延設部どうしを連結する連結片本体と、その連結片本体の上方において弓なり形状となってその連結片本体の両端部分に架け渡される、前記当接部としての線条片とからなる。
【００１３】
また、請求項７に記載の発明に係る配設体支持具は、請求項２ないし６のいずれか１項に記載の配設体支持具において、前記支持部は、前記下部片と前記延設部とで形成される。
【００１４】
また、請求項８に記載の発明に係る配設体支持具は、請求項７に記載の配設体支持具において、前記取付部は、前記保持片が、上側ほど互いに近づく傾斜方向に直線状に延びて形成され、前記下部片が、水平方向に直線状に延びて形成されて、全体が、三角形の上部を切除した形状をしている。
【発明の効果】
【００１５】
この発明に係る配設体支持具によれば、取付部を、ねじり方向の弾性を利用してデッキプレートの補強部に取り付けるため、構造が簡単となり、かつ、容易に取り付けることができる。
【図面の簡単な説明】
【００１６】
【図１】この発明の一実施の形態の、斜視図である。
【図２】同じく、正面図である。
【図３】同じく、平面図である。
【図４】同じく、図２におけるＡ−Ａ線による断面図である。
【図５】同じく、取付部をねじってデッキプレート補強部に取り付ける過程を示す、平面図である。
【図６】同じく、取付部の、補強部への取付状態を示す、正面図である。
【図７】同じく、連結片の第１爪を延設部の第１孔に係合させた状態を示す、正面図である。
【図８】同じく、図７におけるＢ−Ｂ線による断面図である。
【図９】同じく、補助連結片の第２孔を連結片の第２爪に係合させて、補強部への配設体支持具の取り付けを完了した状態を示す、正面図である。
【図１０】同じく、図９におけるＣ−Ｃ線による断面図である。
【図１１】同じく、線条片を切除して、配設体支持具をサイズの大きい補強部に取り付けた状態を示す、正面図である。
【図１２】この発明の他の実施の形態の、配設体支持具を補強部に取り付けた状態を示す、正面図である。
【図１３】従来の吊り具を示す断面図である。
【発明を実施するための形態】
【００１７】
以下、この発明に係る配設体支持具を実施するための形態を図面に基づいて説明する。
【００１８】
図１〜図１１は、本発明の一実施の形態を示す。図中符号１は、コンクリート床である。２は、前記コンクリート床１の永久型枠として用いられるデッキプレートである。２ａは、このデッキプレート２の下方に突出形成された下方が幅広で上方が幅狭となる補強部である。３は、配線・配管材等の配設体である。４は、前記補強部２ａに取り付けられて、前記配設体３を支持する、配設体支持具である。
【００１９】
配設体支持具４は、デッキプレート２の補強部２ａに取り付けられる取付部５と、前記配設体３を支持する支持部６とを備える。取付部５は、上方に開口する枠状に形成されて、その開口５ａを形成する両側が、デッキプレート２の補強部２ａを保持する（詳しくは、補強部２ａの側面を両側方から挟むようにして保持する）保持部５ｂ、５ｂとなる。ここで、これら保持部５ｂ、５ｂは、その内面が、上側ほど互いに近づくようにテーパー状に形成されている。そして、取付部５は、保持部５ｂ、５ｂをその対向方向の互いに離間する向きに変位させるような、曲げ方向の剛性が大で、保持部５ｂ、５ｂをその対向方向に直交する前後方向の互いに逆となる向きに変位させるような、ねじり方向の剛性が小となるよう形成されて、そのねじり方向に弾性変形可能である。そこで、取付部５を前記ねじり方向に弾性変形させることで、保持部５ｂ、５ｂの互いの間隔を広げて、取付部５をデッキプレート２の補強部２ａの下方から取付可能となる（図５参照）。
【００２０】
詳細には、取付部５は、保持部５ｂ、５ｂとその保持部５ｂ、５ｂから下方に延設された延設部５ｃ、５ｃとを有する保持片５ｄ、５ｄと、それら保持片５ｄ、５ｄを下部で繋ぐ下部片５ｅとを備えて、一体に形成されている。そして、前記支持部６は、取付部５における下部片５ｅと延設部５ｃ、５ｃとで形成されて、前記配設体３は、下部片５ｅに載るようにして配設される（図９参照）。すなわち、この配設体支持具４は、取付部５の一部が、支持部６を兼ねている。また、配設体支持具４は、前記延設部５ｃ、５ｃの上部もしくは中間部に渡されてそれら延設部５ｃ、５ｃどうしを連結する連結片７を備える。ここにおいて、連結片７の少なくとも一端側（図示実施の形態においては、連結片７の一端側）は、前記延設部５ｃに着脱可能に取り付けられる。
【００２１】
具体的には、配設体支持具４は、合成樹脂製であって、連結片７（詳細には、連結片７および後述する補助連結片８）を含めて、全体が一体に成形される。この配設体支持具４の取付部５は、保持片５ｄ、５ｄが、上側ほど互いに近づく傾斜方向に直線状に延びて形成され、下部片５ｅが、水平方向に直線状に延びて形成されて、全体が、正面視において、三角形（図示実施の形態においては、二等辺三角形）の上部を切除した形状をしている。また、保持片５ｄと下部片５ｅは、正面を向く第１板部５ｆ、５ｇと、その第１板部５ｆ、５ｇの内側から前後に突出する第２板部５ｈ、５ｉとで、断面Ｔ字状に形成されている。そして、保持片５ｄにおける第１板部５ｆと下部片５ｅにおける第１板部５ｇとは、互いに連続するように形成され、同様に、保持片５ｄにおける第２板部５ｈと下部片５ｅにおける第２板部５ｉとは、互いに連続するように形成されている。また、保持片５ｄにおける第２板部５ｈは、その中間位置で分断されており、この分断された位置にて、連結片７が保持片５ｄ、５ｄ（詳細には、延設部５ｃ、５ｃ）どうしを連結する。なお、図中符号５ｊは、下部片５ｅ（詳細には、第１板部５ｇ）に設けられた孔である。
【００２２】
連結片７は、デッキプレート２における補強部２ａの下面に当接する当接部７ａを有する。そして、この当接部７ａは、弾性を有している。詳細には、連結片７は、延設部５ｃ、５ｃどうしを連結する連結片本体７ｂと、その連結片本体７ｂの上方において弓なり形状となってその連結片本体７ｂの両端部分に架け渡される、前記当接部７ａとしての線条片７ｃとからなる。連結片本体７ｂは、その一端側に第１係合部としての第１爪７ｄが設けられており、この第１爪７ｄが、一方の延設部５ｃ（図示実施の形態においては、一方の第１板部５ｆ）に設けられた第１被係合部としての第１孔５ｋに係合可能となっている。そして、連結片本体７ｂの他端側は、他方の延設部５ｃ（図示実施の形態においては、他方の第１板部５ｆ）に一体に繋がるとともに、その他端側には、セルフヒンジ７ｅが設けられている。そこで、図７および図８に示すように、連結片本体７ｂの第１爪７ｄが一方の延設部５ｃの第１孔５ｋに係合することで、この連結片本体７ｂ（つまりは連結片７）を介して、延設部５ｃ、５ｃ（つまりは保持片５ｄ、５ｄ）どうしが連結される。
【００２３】
また、配設体支持具４は、第１孔５ｋを有する延設部５ｃ（図示実施の形態においては、第１板部５ｆ）と連結片７（詳細には、連結片本体７ｂ）とに渡されてそれら延設部５ｃと連結片７とを連結する補助連結片８を備える。ここで、補助連結片８は、その一端側に第２係合部としての第２孔８ａが設けられており、この第２孔８ａが、連結片７（詳細には、連結片本体７ｂ）に設けられた第２被係合部としての第２爪７ｆに係合可能となっている。そして、補助連結片８の他端側は、第１孔５ｋを有する延設部５ｃ（図示実施の形態においては、第１板部５ｆ）に一体に繋がるとともに、その他端側には、セルフヒンジ８ｂが設けられている。そこで、図９および図１０に示すように、補助連結片８の第２孔８ａが連結片７の第２爪７ｆに係合することで、この補助連結片８を介して、第１孔５ｋを有する延設部５ｃ（つまりは保持片５ｄ）と連結片７とが連結される。
【００２４】
次に、以上の構成からなる配設体支持具４の作用効果について説明する。この配設体支持具４によると、その取付部５が、デッキプレート２の下方に突出する補強部２ａに取り付けられ、支持部６が、配設体３を支持することで、配設体３は、この配設体支持具４を介して、デッキプレート２の補強部２ａに支持される。ここで、補強部２ａへの取り付けにあたっては、図５に示すように、取付部５を、その保持部５ｂ、５ｂをその対向方向に直交する前後方向の互いに逆となる向きに変位させるような、ねじり方向に弾性変形させることで、保持部５ｂ、５ｂの互いの間隔を広げる。そして、この広がった保持部５ｂ、５ｂの先端部分の渡り方向がデッキプレートの補強部の幅方向を向くように取付部５（配設体支持具４）を鉛直軸回りに回動し、その回動した向きのまま、広がった保持部５ｂ、５ｂの間にデッキプレート２の補強部２ａが進入するように、取付部５（配設体支持具４）を補強部２ａの下方から持ち上げる。その後、取付部５のねじりをその弾性により戻すとともに、前記鉛直軸回りの回動を戻すことで、両保持部５ｂ、５ｂでデッキプレート２の補強部２ａを保持する（図６参照）。こうして、取付部５がデッキプレート２の補強部２ａに取り付けられるが、取付部５は、保持部５ｂ、５ｂをその対向方向の互いに離間する向きに変位させるような、曲げ方向の剛性が大となっている。このため、保持部５ｂ、５ｂは、その対向方向に安易には変位することがなく、取付部５は、デッキプレート２の補強部２ａにしっかりと取り付けられる。こうして、この配設体支持具４によれば、取付部５を、ねじり方向の弾性を利用してデッキプレート２の補強部２ａに取り付けるため、配設体支持具４は、構造が簡単となり、かつ、この配設体支持具４をデッキプレート２の補強部２ａに容易に取り付けることができる。
【００２５】
また、取付部５における下部片５ｅ（詳細には、第１板部５ｇ）には、孔５ｊがあけられており、この孔５ｊによって、前記ねじり方向の剛性を、より小さくすることができる。もっとも、この孔５ｊは、必要に応じて設けられるものであって、なくともよい。
【００２６】
また、配設体支持具４は、保持片５ｄ、５ｄにおける延設部５ｃ、５ｃどうしを連結する連結片７を備えている。これにより、取付部５をデッキプレート２の補強部２ａに取り付ける際には、連結片７の少なくとも一端側（図示実施の形態においては、連結片７の一端側）を延設部５ｃから外しておき、取付部５を補強部２ａに取り付けた後に、連結片７（図示実施の形態においては、連結片７の一端側）を延設部５ｃに取り付けるようにして、延設部５ｃ、５ｃどうしを連結する（図７、図８参照）。こうして、連結片７で延設部５ｃ、５ｃ（つまりは、保持片５ｄ、５ｄ）どうしを連結することで、保持部５ｂ、５ｂがその対向方向において互いに離間するのを抑制することができるとともに、保持部５ｂ、５ｂがその対向方向に直交する前後方向において互いに逆向きにずれるのを抑制することができる。これにより、保持部５ｂ、５ｂの互いの間隔が広がるのが抑えられ、取付部５を、デッキプレート２の補強部２ａに確実に取り付けることができる。さらに、配設体支持具４は、連結片７の他に補助連結片８を備えており、連結片７で延設部５ｃ、５ｃどうしを連結した後に、この補助連結片８で、第１孔５ｋを有する側の延設部５ｃと連結片７とを連結する（図９、図１０参照）。こうして、この補助連結片８を用いることで、連結片７による延設部５ｃ、５ｃ（つまりは、保持片５ｄ、５ｄ）どうしの連結を確実なものとすることができる。
【００２７】
また、連結片７で延設部５ｃ、５ｃどうしを連結すると、連結片７（詳細には、当接部７ａ）がデッキプレート２における補強部２ａの下面に当接する。こうして、連結片７が補強部２ａの下面に当接することで、補強部２ａに対する取付部５の動きが抑えられ、この取付部５を補強部２ａに安定して取り付けることができる。
【００２８】
また、連結片７における当接部７ａは、線条片７ｃからなる。このため、この線条片７ｃは、切断容易であり、この線条片７ｃを切断して取り除けば、連結片本体７ｂそのものが連結片として機能する。そこで、図１１に示すように、配設体支持具４を、サイズの大きい補強部２ａに取り付けることができ、この場合には、連結片本体７ｂの上面が当接部７ａとなる。
【００２９】
また、配設体３を支持する支持部６は、取付部５を構成する下部片５ｅと延設部５ｃ、５ｃとで形成される。こうして、取付部５の一部が、支持部６を兼ねることで、配設体支持具４の構造を一層簡単にすることができる。
【００３０】
なお、本発明は、上述した実施の形態に限定されるわけではなく、その他種々の変更が可能である。例えば、デッキプレート２における補強部２ａは、上側ほど幅狭となるような三角形状をしているが、下方が幅広で上方が幅狭となっていればよく、逆Ｔ字形状とか（図１２参照）、Ｌ字形状等の形状をしていてもよい。ここで、図１２においては、配設体支持具４における保持部５ｂ、５ｂは、それらの先端部分５ｘ、５ｘが互いに対向する内側に曲がって形成されている。そして、これら保持部５ｂ、５ｂの先端部分５ｘ、５ｘが、デッキプレート２の補強部２ａの横に延びる幅広部２ｘの上面に載るようにして、保持部５ｂは、デッキプレート２の補強部２ａを保持する。
【００３１】
また、配設体３は、配線・配管材に限られるものでなく、例えば、配線ボックス等のボックスとか、火災報知器等の機器であってもよい。また、支持部６は、配設体３の種類に応じた形状を有するのが好ましく、取付部５の一部で構成されなくとも、取付部５とは別の構成で形成されても構わない。また、このように、支持部６が取付部５とは別の構成で形成される場合には、延設部５ｃをなくして、保持部５ｂそのものが保持片５ｄとなってもよい。
【００３２】
また、延設部５ｃ、５ｃどうしを連結する連結片７は、取付部５と一体に形成されて、その一端側が延設部５ｃに着脱可能に取り付けられるが、各端側が延設部５ｃに着脱可能に取り付けられるものであってもよい。すなわち、連結片７は、取付部５とは別体に形成されてもよい。また、同様にして、補助連結片８においても、取付部５とは別体に形成されても構わない。
【００３３】
また、配設体支持具４における連結片７には、切除可能な線条片７ｃが設けられているが、この線条片７ｃは、始めからなくともよい。また、配設体支持具４は、この連結片７とか補助連結片８を備えなくともよい。
【符号の説明】
【００３４】
２  デッキプレート
２ａ  補強部
３  配設体
４  配設体支持具
５  取付部
５ａ  開口
５ｂ  保持部
５ｃ  延設部
５ｄ  保持片
５ｅ  下部片
６  支持部
７  連結片
７ａ  当接部
７ｂ  連結片本体
７ｃ  線条片
【図１】
2011032685.tif 000003
【図２】
2011032685.tif 000004
【図３】
2011032685.tif 000005
【図４】
2011032685.tif 000006
【図５】
2011032685.tif 000007
【図６】
2011032685.tif 000008
【図７】
2011032685.tif 000009
【図８】
2011032685.tif 000010
【図９】
2011032685.tif 000011
【図１０】
2011032685.tif 000012
【図１１】
2011032685.tif 000013
【図１２】
2011032685.tif 000014
【図１３】
2011032685.tif 000015